(57)【特許請求の範囲】
【請求項１】
再生されるコンテンツを使用するユーザに対して、前記コンテンツに含まれるオブジェクトに関する情報を提供する情報処理システムにおいて、
前記オブジェクトを特定可能なコードを管理する管理手段と、
前記ユーザに対してコンテンツを提供し、かつ、前記コードを構成する１種類以上のシンボルの夫々に、１種類以上の周波数の夫々を対応付けて管理するコンテンツ提供手段と、
前記コンテンツの再生中の所定タイミングにおいて、前記コンテンツに含まれている前記オブジェクトを特定可能な前記コードに対応する１以上の周波数が、前記コンテンツ提供手段から前記コンテンツの音声データに重畳されて送信された場合に、前記ユーザに操作されて超音波を受信する端末を介して当該コードを取得する取得手段と、
取得された前記コードに基づいて、前記所定タイミングで再生された前記コンテンツに含まれている前記オブジェクトを特定する特定手段と、
特定された前記オブジェクトを利用する情報を前記ユーザへ提供する処理を実行する支援手段と、
を備える情報処理システム。
【請求項２】
前記オブジェクトを利用する情報は、前記オブジェクトに関する商品又は役務を利用する情報を含み、
前記支援手段は、前記オブジェクトに関する商品又は役務を利用する情報を前記ユーザが操作する前記端末に提供する処理を実行する、
請求項１に記載の情報処理システム。
【請求項３】
前記コンテンツは、動画像配信サービスにより提供される番組であり、
前記オブジェクトを利用する情報は、前記番組の出演者が着用する衣服を購入する情報であり、
前記支援手段は、前記衣服を購入するための情報を前記端末に提供する処理を実行する、
請求項２に記載の情報処理システム。
【請求項４】
前記コンテンツは、テレビジョン放送の番組であり、
前記オブジェクトを利用する情報は、前記番組の出演者が着用する衣服を購入する情報であり、
前記支援手段は、前記衣服を購入する情報を前記端末に提供する処理を実行する、
請求項２に記載の情報処理システム。
【請求項５】
再生されるコンテンツを使用するユーザに対して、前記コンテンツに含まれるオブジェクトに関する情報を提供する処理を情報処理システムが実行する情報処理方法において、
前記オブジェクトを特定可能なコードを管理する管理ステップと、
前記ユーザに対して前記コンテンツを提供し、かつ、前記コードを構成する１種類以上のシンボルの夫々に、１種類以上の周波数の夫々を対応付けて管理するコンテンツ提供ステップと、
前記コンテンツの再生中の所定タイミングにおいて、前記コンテンツに含まれている前記オブジェクトを特定可能な前記コードに対応する１以上の周波数が、前記コンテンツの音声データに重畳されて送信された場合に、前記ユーザに操作されて超音波を受信する端末を介して当該コードを取得する取得ステップと、
取得された前記コードに基づいて、前記所定タイミングで再生された前記コンテンツに含まれている前記オブジェクトを特定する特定ステップと、
特定された前記オブジェクトを利用する情報を前記ユーザへ提供する処理を実行する支援ステップと、
を含む情報処理方法。
【請求項６】
再生されるコンテンツを使用するユーザに対して、前記コンテンツに含まれるオブジェクトに関する情報を提供する情報処理システムに、
前記オブジェクトを特定可能なコードを管理する管理ステップと、
前記ユーザに対して前記コンテンツを提供し、かつ、前記コードを構成する１種類以上のシンボルの夫々に、１種類以上の周波数の夫々を対応付けて管理するコンテンツ提供ステップと、
前記コンテンツの再生中の所定タイミングにおいて、前記コンテンツに含まれている前記オブジェクトを特定可能な前記コードに対応する１以上の周波数が、前記コンテンツ提供ステップで前記コンテンツの音声データに重畳されて送信された場合に、前記ユーザに操作されて超音波を受信する端末を介して当該コードを取得する取得ステップと、
取得された前記コードに基づいて、前記所定タイミングで再生された前記コンテンツに含まれている前記オブジェクトを特定する特定ステップと、
特定された前記オブジェクトを利用する情報を前記ユーザへ提供する処理を実行する支援ステップと、
を含む制御処理を実行させるプログラム。
【発明の詳細な説明】
【技術分野】
【０００１】
本発明は、情報処理システム、情報処理方法及びプログラムに関する。
【背景技術】
【０００２】
近年、その便利さから、インターネット上のＥＣ（Ｅｌｅｃｔｒｏｎｉｃ  Ｃｏｍｍｅｒｃｅ）サイトを利用してオブジェクトを利用、例えば、衣服を購入するユーザが増えてきている。このようなユーザに資する各種技術も幾つか存在する（例えば特許文献１参照）。
【先行技術文献】
【特許文献】
【０００３】
【特許文献１】特開２０１８−１６９６４６号公報
【発明の概要】
【発明が解決しようとする課題】
【０００４】
ところで、コンテンツの一例であるテレビジョン放送の番組（以下、「テレビ番組」と呼ぶ）の出演者が着用している衣服は、プロのスタイリストが選んだものであったり、着用者が見栄えの良い女優であったりする。このため、テレビを視聴する者の中には、自分も同じ衣服を着用してみたいと思う者も多い。
しかしながら、テレビ番組の出演者が着用している衣服を購入しようとしても、ＥＣサイトや実際の販売店で所望の衣服を見つけることは困難である。その結果、所望の衣服にイメージが近いと思われる衣服や、何となく似ているような衣服を購入することで妥協したり、購入を諦めたりすることが多い。
【０００５】
本発明は、このような状況に鑑みてなされたものであり、コンテンツに含まれるオブジェクトを利用する情報をユーザへ提供する情報処理システム、情報処理方法及びプログラムを提供することを目的とする。
【課題を解決するための手段】
【０００６】
上記目的を達成するため、本発明の一態様の情報処理システムは、再生されるコンテンツを使用するユーザに対して、前記コンテンツに含まれるオブジェクトに関する情報を提供する情報処理システムにおいて、前記オブジェクトを特定可能なコードを管理する管理手段と、前記ユーザに対して前記コンテンツを提供し、かつ、前記コードを構成する１種類以上のシンボルの夫々に、１種類以上の周波数の夫々を対応付けて管理するコンテンツ提供手段と、前記コンテンツの再生中の所定タイミングにおいて、前記コンテンツに含まれている前記オブジェクトを特定可能な前記コードに対応する１以上の周波数が、前記コンテンツ提供手段から前記コンテンツの音声データに重畳されて送信された場合に、前記ユーザに操作されて超音波を受信する端末を介して当該コードを取得する取得手段と、取得された前記コードに基づいて、前記所定タイミングで再生された前記コンテンツに含まれている前記オブジェクトを特定する特定手段と、特定された前記オブジェクトを利用する情報を前記ユーザへ提供する処理を実行する支援手段と、を備える。
本発明の他の態様の情報処理方法は、再生されるコンテンツを使用するユーザに対して、前記コンテンツに含まれるオブジェクトに関する情報を提供する処理を情報処理システムが実行する情報処理方法において、前記オブジェクトを特定可能なコードを管理する管理ステップと、前記ユーザに対して前記コンテンツを提供し、かつ、前記コードを構成する１種類以上のシンボルの夫々に、１種類以上の周波数の夫々を対応付けて管理するコンテンツ提供ステップと、前記コンテンツの再生中の所定タイミングにおいて、前記コンテンツに含まれている前記オブジェクトを特定可能な前記コードに対応する１以上の周波数が、前記コンテンツの音声データに重畳されて送信された場合に、前記ユーザに操作されて超音波を受信する端末を介して当該コードを取得する取得ステップと、取得された前記コードに基づいて、前記所定タイミングで再生された前記コンテンツに含まれている前記オブジェクトを特定する特定ステップと、特定された前記オブジェクトを利用する情報を前記ユーザへ提供する処理を実行する支援ステップとを含む。
【０００７】
本発明の一態様の情報処理方法及びプログラムは、上述の本発明の一態様の情報処理装置に対応する処理方法及びプログラムである。
【発明の効果】
【０００８】
本発明によれば、コンテンツに含まれるオブジェクトを利用するための情報を、ユーザが取得できるようになる。
【図面の簡単な説明】
【０００９】
【図１】本発明の一実施形態の情報処理装置を含む情報処理システムにより実現可能な本サービスの概要を示すイメージ図である。
【図２】図１の本サービスを実現可能な情報処理システムの構成を示す図である。
【図３】図２の情報処理システムのうち管理サーバのハードウェア構成の一例を示すブロック図である。
【図４】図３の管理サーバの機能的構成のうち、特定処理と支援処理とが実現可能になる機能的構成の一例を示す機能ブロック図である。
【図５】管理サーバにより生成された対応表の例を示す図である。
【図６】管理サーバにより管理されているＵＲＬ情報の具体例を示す図である。
【図７】図２の情報処理システムのうちユーザ端末に表示されるＧＵＩの具体例を示す図である。
【図８】本発明の第２実施形態の情報処理装置を含む情報処理システムにより実現可能な本サービスの概要を示すイメージ図である。
【図９】本発明の情報処理装置の第２実施形態に係る管理サーバを含む、情報処理システムの構成を示す図である。
【図１０】図９の管理サーバ及びユーザ端末の機能的構成のうち、上述した特定処理と支援処理とが実現可能になる機能的構成の一例を示す機能ブロック図である。
【図１１】ユーザ端末に配信された動画像の再生中に商品を購入する場合の流れを示す図である。
【図１２】サービス提供者による本サービスに係る各種の設定操作が行われる際に、サービス提供者端末に表示される画面の一例を示す図である。
【図１３】ＡＲ空間の動画像から商品を購入する場合の具体例を示す図である。
【図１４】番組内の音声に超音波で音声データを入力する手法を示す図である。
【発明を実施するための形態】
【００１０】
以下、本発明の実施形態について図面を用いて説明する。
【００１１】
［第１実施形態］
図１は、本発明の第１実施形態の情報処理装置を含む情報処理システムにより実現可能な本サービスの概要を示すイメージ図である。
【００１２】
本サービスは、テレビ番組が放送されている最中に、その出演者の衣服等をリアルタイムにユーザＵが購入できるサービスである。
即ち、本サービスによれば、例えば、ユーザＵは、テレビジョン受像機Ｍ（以下、「テレビＭ」と略記する）でテレビ番組を視聴中に、図１に示す出演者Ａが着用している衣服Ｃを見て、例えば「かわいい！」、「これ欲しい！」、「どこ（メーカやブランド）の服？」と思ったとする。ユーザＵは、このように思ったタイミングで、スマートフォン等のユーザ端末２に対する簡単な操作をするだけで、出演者Ａの衣服Ｃをリアルタイムに購入できる。
【００１３】
具体的には例えば、ユーザ端末２は、所定のタイミング（例えば図１に示すタイミング）において、テレビＭに映っている出演者（図１の例では出演者Ａ）が着用している衣服（図１の例では衣服Ｃ）の販売を行うＥＣサイトにアクセスして、当該衣服Ｃを購入可能なページＰを表示する。
このＥＣサイトは、テレビ番組においてｑ人（ｑは１以上の整数値）の出演者Ａのうち何れかの者が着用しているｒ種（ｒは１以上の整数値）の衣服Ｃ毎に、当該衣服Ｃを購入可能なページ（図１の例では出演者Ａの衣服Ｃを購入可能なページ）を設けている。即ち、これらの複数のページの集合体であるＥＣサイトは、テレビ番組において出演者Ａ１乃至Ａｑのうち何れかの者が着用している衣服Ｃ１乃至Ｃｒの夫々を、オンライン上で購入なカタログである、とも言える。
【００１４】
このカタログ（ＥＣサイト）にアクセスしているユーザ端末２において、表示対象の（図１の例ではページＰ）は、所定の時間間隔（例えば１秒毎）で更新される。
これにより、現時点でテレビジョン放送されている（現時点でテレビＭに映っている）出演者が着用している衣服をリアルタイムに購入可能なページが、ユーザ端末２に表示される。
例えば図１に示すように、テレビＭに出演者Ａが映っている時点では、当該出演者Ａが着用している衣服Ｃを購入可能なページＰが、ユーザ端末２に表示される。
【００１５】
そこで、ユーザＵは、ユーザ端末２に対してクリック等の簡単な操作をすることで、そのクリック時点でユーザ端末２に表示されているページに含まれる衣服（即ち、そのクリック時点でテレビＭに映っている出演者が着用している衣服）を、リアルタイムに購入することができる。
例えば図１の例では、衣服Ｃを着用している出演者ＡがテレビＭに映っている時点（即ち、衣服Ｃを購入可能なページＰがユーザ端末２に表示されている時点）で、ユーザＵはクリック等の簡単な操作をすることで、その衣服Ｃを直ぐに購入することができる。
【００１６】
さらに、このカタログ（ＥＣサイト）は、テレビ番組のテレビジョン放送が終了した後においても、所定時間（例えば１日）の間、アクセスが可能とされている。
これにより、ユーザＵは、ユーザ端末２を介して、テレビ番組の終了後も、出演者の衣服（例えば図１の例では出演者Ａの衣服Ｃ等）を見て、必要に応じて購入することもできる。
【００１７】
具体的には例えば、図１の例では、サービス提供者Ｇに対して、アパレル会社Ｂ１乃至Ｂｍ（ｍは１以上の整数値）と、テレビ局Ｔとが各種情報を提供することで、本サービスが実現される。
【００１８】
より具体的には例えば、テレビ局Ｔは、テレビ番組をテレビジョン放送する。このテレビ番組には、図１には図示はしないが、衣服Ｃ１乃至Ｃｒのうちいずれか１以上を着用した出演者Ａ１乃至Ａｑの夫々が出演するものとする。
【００１９】
テレビ局Ｔからサービス提供者Ｇに対して、例えば、出演者Ａ１乃至Ａｑの夫々がテレビ番組に登場する時間帯を特定可能な、当該テレビ番組のスケジュール（以下、「出演者タイムスケジュール」と呼ぶ）が提供される。
具体的には例えば、出演者タイムスケジュールには、「出演者Ａ２が登場する時間帯は、２１時０３分０５秒から２１時０６分４２秒まで」といった情報が含まれる。
【００２０】
また例えば、アパレル会社Ｂ１乃至Ｂｍの夫々は、衣服Ｃ１乃至Ｃｒのうち少なくとも一部を販売する業者である。
【００２１】
アパレル会社Ｂ１乃至Ｂｍの夫々からサービス提供者Ｇに対して、例えば、出演者Ａ１乃至Ａｑのうちいずれか１人が着用する衣服Ｃ１乃至Ｃｒに関する情報（以下、「アパレル情報」と呼ぶ）が提供される。
【００２２】
サービス提供者Ｇにおいて、例えば、出演者タイムスケジュールとアパレル情報とに基づいて、衣服Ｃ１乃至Ｃｒの夫々がテレビ番組に登場する時間帯を特定可能な情報（以下、「衣服タイムスケジュール」と呼ぶ）の生成が可能になる。
なお、衣服タイムスケジュールは、テレビ局Ｔ、アパレル会社Ｂ１乃至Ｂｍ又は図示せぬ第三者により生成されてもよい。
具体的には例えば、衣服タイムスケジュールには、「アパレル会社Ｂ３の衣服Ｃ６が登場する時間帯は、２１時０３分０５秒から２１時０６分４２秒まで」といった情報が含まれる。
【００２３】
また例えば、サービス提供者Ｇにおいて、衣服タイムスケジュールと出演者タイムスケジュールとを対応させた対応表が作成される。
「対応表」とは、出演者Ａ１乃至Ａｑの夫々がテレビ番組において登場する時間帯と、出演者Ａ１乃至Ａｑの夫々と、衣服Ｃ１乃至Ｃｒのうち着用対象の夫々との対応関係を示す情報をいう。
なお、対応表の具体例については、図５を参照して後述する。
【００２４】
この対応表は、従来のテレビ番組表の代わりとして、ユーザ端末２にも表示可能である。
これにより、ユーザＵは、例えば、「アパレル会社Ｂ３の衣服Ｃ６を着用した出演者Ａ２がテレビＭに映し出される時間帯は、２１時０３分０５秒から２１時０６分４２秒まで」といった詳細なタイムスケジュールを視認することができる。
さらに、衣服Ｃ１乃至Ｃｒのうち、現時点でテレビ番組に登場している衣服（テレビＭに映っている衣服）がハイライト表示等により、リアルタイムに表示される。これにより、例えば２１時０４分頃において、ユーザＵは、「いまテレビＭに出演者Ａ２が映し出されているが、当該出演者Ａ２が着用している衣服は、アパレル会社Ｂ３の衣服Ｃ６である」といったアパレル情報を容易かつ即座に視認することができる。
【００２５】
また、サービス提供者Ｇにおいて、アパレル情報に基づいて、衣服Ｃ１乃至Ｃｒの夫々を購入可能な各ページＰから構成されるＥＣサイトも作成され、管理・運営が行われる。
即ち、このＥＣサイトは、テレビ番組において出演者Ａ１乃至Ａｑのうち何れかの者が着用している衣服Ｃ１乃至Ｃｒ毎に、当該衣服Ｃｋ（ｋは１乃至ｒのうち何れかの整数値）を購入可能なページＰ（図１の例では出演者Ａの衣服Ｃを購入可能なページＰ）を夫々有している。
【００２６】
このＥＣサイトを構成する各ページＰ（衣服Ｃｋを購入可能な各ページＰ）は、インターネット上に配置される。各ページＰの配置場所、即ちＵＲＬ（Ｕｎｉｆｏｒｍ  Ｒｅｓｏｕｒｃｅ  Ｌｏｃａｔｏｒ）を示す情報（以下、「ＵＲＬ情報」と呼ぶ）は、サービス提供者Ｇにおいて管理される。なお、ＵＲＬ情報の具体例については、図６を参照して後述する。
【００２７】
ユーザ端末２は、テレビ番組のテレビジョン放送が開始すると、現時点で当該テレビ番組に登場する出演者が着用している衣服Ｃｋを購入可能なページＰを表示すべく、そのＵＲＬ情報を取得する。そして、ユーザ端末２は、当該ＵＲＬ情報に示されるＵＲＬにアクセスして、当該ページＰを表示する。
このような一連の処理は、所定の時間間隔毎（例えば１秒毎）に行われる。その結果、ユーザ端末２に表示されるページＰ（カタログたるＥＣサイトのページＰ）は、テレビ番組内において刻々と移り変わる衣服Ｃ（出演者Ａ）に同期して、刻々と移り変わる衣服Ｃの夫々を購入可能な各ページＰに順次更新されていく。
【００２８】
そこで、ユーザＵは、ユーザ端末２に対してクリック等の簡単な操作をすることで、そのクリック時点でユーザ端末２に表示されている衣服Ｃｋ（即ち、そのクリック時点でテレビＭに映っている出演者が着用している衣服Ｃｋ）を、リアルタイムに購入することができる。
【００２９】
このように、本サービスによれば、ユーザＵとしては、従来のＥＣサイト（アパレルのサイトや、ショッピングモールのサイト）を検索したり、実際の販売店に足を運んで所望の衣服Ｃｋを探したりする必要がなくなる。これにより、「今直ぐ欲しい！」というユーザＵの気持ちに的確に応えることが可能になる。
つまり、本サービスによれば、例えばテレビ番組としてドラマが採用されている場合、当該ドラマは、ファッションカタログの一種（いわば「ドラマカタログ」）として社会に認知されるようになると期待される。
【００３０】
また、本サービスによれば、テレビ局Ｔとしては、衣服の購入を目的とするユーザＵを、テレビジョン放送（テレビ番組）の新規の視聴者として獲得することができる。また、これまでにない新規のスタイルでテレビ番組をＰＲすることができるので、テレビ番組の視聴率のアップを図ることができる。
また、アパレル会社Ｂ１乃至Ｂｍとしては、テレビ番組を利用した販売促進活動を実施することができる。また、これまでにない新規のスタイルで自社商品をＰＲすることができるので、売上のアップを図ることができる。
【００３１】
さらに、このカタログ（ＥＣサイト）は、テレビ番組のテレビジョン放送が終了した後においても、所定時間（例えば１日）の間、アクセスが可能とされている。
これにより、ユーザＵは、ユーザ端末２を介して、テレビ番組の終了後も、出演者の衣服Ｃ（出演者Ａの衣服Ｃ等）を見て、必要に応じて購入することもできる。
【００３２】
次に、図１の本サービスの提供を実現化させる情報処理システムの構成について説明する。
図２は、図１の本サービスを実現可能な情報処理システムの構成を示す図である。即ち、図２は、本発明の情報処理装置の第１実施形態に係る管理サーバを含む、情報処理システムの構成を示す図である。
【００３３】
図２に示す情報処理システムは、管理サーバ１と、ユーザ端末２−１乃至２−ｎと、アパレル会社サーバ３−１乃至３−ｍと、テレビ局サーバ４とを含むように構成されている。
管理サーバ１、ユーザ端末２−１乃至２−ｎ、アパレル会社サーバ３−１乃至３−ｍ、及びテレビ局サーバ４の夫々は、インターネット等の所定のネットワークＮを介して相互に接続されている。
【００３４】
管理サーバ１は、図１のサービス提供者Ｇにより管理される情報処理装置である。管理サーバ１は、ユーザ端末２−１乃至２−ｎ、アパレル会社サーバ３−１乃至３−ｍ、及びテレビ局サーバ４の夫々と適宜通信をしながら、本サービスを実現するための各種処理を実行する。
【００３５】
具体的には例えば、管理サーバ１は、アパレル会社サーバ３から送信されてくるアパレル情報と、テレビ局サーバ４から送信されてくる出演者タイムスケジュールとを受信して取得する。そして、管理サーバ１は、取得したアパレル情報と出演者タイムスケジュールとに基づいて、衣服タイムスケジュールを生成する。なお、衣服タイムスケジュールは、テレビ局サーバ４、アパレル会社サーバ３又は図示せぬ第三者により生成されてもよい。
また、管理サーバ１は、衣服タイムスケジュールと、出演者タイムスケジュールとを対応させることで対応表を生成する。
【００３６】
また、管理サーバ１は、アパレル情報に基づいて、アパレル会社Ｂ１乃至Ｂｍのうち少なくとも一部が販売する衣服Ｃ１乃至Ｃｒの夫々を購入可能なＥＣサイト（カタログ）を生成して管理する。生成されたＥＣサイトを構成する各ページＰのＵＲＬ情報は、管理サーバ１において管理される。
【００３７】
ユーザ端末２−１乃至２−ｎの夫々は、ユーザＵ１乃至Ｕｎの夫々により操作される情報処理装置である。ユーザ端末２−１乃至２−ｎは、例えばスマートフォン、タブレット等で構成される。
なお、以下、ユーザＵ１乃至Ｕｎを区別せずに「ユーザＵ」と呼んでいる場合、ユーザ端末２−１乃至２−ｎをまとめて、「ユーザ端末２」と呼ぶ。
ユーザ端末２は、上述したように、テレビ番組のテレビジョン放送が開始すると、現時点で当該テレビ番組に登場する出演者が着用している衣服を購入可能なページを表示すべく、そのＵＲＬ情報を取得する。そして、ユーザ端末２は、当該ＵＲＬ情報に示されるＵＲＬにアクセスして、当該ページを表示する。
ユーザ端末２には、例えば本実施形態では、本サービスの提供を受けるための専用のアプリケーションプログラム（以下、「専用アプリ」と呼ぶ）がインストールされているものとする。なお、以下、断りのない限り、「ユーザＵがユーザ端末２を操作する」と表現している場合、それは、ユーザＵが、ユーザ端末２にインストールされた専用アプリを起動して各種操作を行うことを意味するものとする。
【００３８】
アパレル会社サーバ３−１乃至３−ｍの夫々は、図１のアパレル会社Ｂ１乃至Ｂｍの夫々により管理される情報処理装置である。アパレル会社サーバ３−１乃至３−ｍの夫々は、アパレル情報を管理する。また、アパレル会社サーバ３−１乃至３−ｍの夫々は、管理サーバ１に対し、自身が管理するアパレル情報を送信する。
以下、アパレル会社Ｂ１乃至Ｂｍの夫々、及び、アパレル会社サーバ３−１乃至３−ｍの夫々を個々に区別する必要がない場合、これらをまとめて、「アパレル会社Ｂ」、及び、「アパレル会社サーバ３」の夫々と呼ぶ。
【００３９】
テレビ局サーバ４は、図１のテレビ局Ｔにより管理される情報処理装置である。テレビ局サーバ４は、出演者タイムスケジュールを生成して管理する。また、テレビ局サーバ４は、管理サーバ１に対し、自身が管理する出演者タイムスケジュールを送信する。
【００４０】
次に、図２の情報システムのうち管理サーバ１のハードウェア構成について説明する。
図３は、図２の情報処理システムのうち管理サーバ１のハードウェア構成の一例を示すブロック図である。
【００４１】
管理サーバ１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｙ）１３と、バス１４と、入出力インターフェース１５と、出力部１６と、入力部１７と、記憶部１８と、通信部１９と、ドライブ２０と、を備えている。
【００４２】
ＣＰＵ１１は、ＲＯＭ１２に記録されているプログラム、又は記憶部１８からＲＡＭ１３にロードされたプログラムに従って各種の処理を実行する。
ＲＡＭ１３には、ＣＰＵ１１が各種の処理を実行する上において必要なデータ等も適宜記憶される。
【００４３】
ＣＰＵ１１、ＲＯＭ１２及びＲＡＭ１３は、バス１４を介して相互に接続されている。このバス１４にはまた、入出力インターフェース１５も接続されている。入出力インターフェース１５には、出力部１６、入力部１７、記憶部１８、通信部１９及びドライブ２０が接続されている。
【００４４】
出力部１６は、液晶等のディスプレイにより構成され、各種画像を表示する。
入力部１７は、各種ハードウェア釦等で構成され、操作者の指示操作に応じて各種情報を入力する。
【００４５】
記憶部１８は、ＤＲＡＭ（Ｄｙｎａｍｉｃ  Ｒａｎｄｏｍ  Ａｃｃｅｓｓ  Ｍｅｍｏｒｙ）等で構成され、各種データを記憶する。
通信部１９は、インターネットを含むネットワークＮを介して他の装置（ユーザ端末２、アパレル会社サーバ３、及びテレビ局サーバ４）との間で行う通信を制御する。
【００４６】
ドライブ２０は、必要に応じて設けられる。ドライブ２０には、磁気ディスク、光ディスク、光磁気ディスク、或いは半導体メモリ等よりなる、リムーバブルメディア３０が適宜装着される。ドライブ２０によってリムーバブルメディア３０から読み出されたプログラムは、必要に応じて記憶部１８にインストールされる。また、リムーバブルメディア３０は、記憶部１８に記憶されている各種データも、記憶部１８と同様に記憶することができる。
【００４７】
なお、図示はしないが、図２の情報処理システムのうち、ユーザ端末２、アパレル会社サーバ３、及びテレビ局サーバ４も、図３に示すハードウェア構成を有している。ただし、ユーザ端末２がスマートフォンやタブレットで構成される場合には、出力部１６及び入力部１７として、タッチパネルを有している。
【００４８】
このような図３の管理サーバ１の各種ハードウェアと各種ソフトウェアとの協働により、管理サーバ１において、特定処理や支援処理等の各種処理の実行が可能になる。その結果、サービス提供者Ｇは、ユーザＵに対し、上述のサービスを提供することができる。
ここで、「特定処理」とは、テレビ番組がテレビジョン放送されている最中に、所定のタイミングにおいて当該テレビ番組に登場している出演者が着用している衣服を特定するまでに必要な一連の処理をいう。
「支援処理」とは、特定処理により特定された衣服に関する情報をユーザＵが利用をする場合にその支援をするために必要な一連の処理であって、特にここでは、特定処理により特定された衣服を購入可能なページについてのＵＲＬ情報をユーザ端末２に提供するまでの一連の処理をいう。
【００４９】
図４は、図３の管理サーバ１及びユーザ端末２の機能的構成のうち、特定処理と支援処理とが実現可能になる機能的構成の一例を示す機能ブロック図である。
【００５０】
図４に示すように、管理サーバ１のＣＰＵ１１においては、特定処理が実行される場合には、取得部１０１と、生成部１０２と、特定部１０３とが機能し、また、支援処理が実行される場合には、支援部１０４が機能する。
また、ユーザ端末２においては、取得部２０１と、表示部２０２と、受付部２０３と、送信部２０４とが機能する。
管理サーバ１の記憶部１８の一領域には、対応表ＤＢ４０１と、ＵＲＬＤＢ４０２とが設けられている。
【００５１】
まず、特定処理を実現可能な機能的構成について説明する。
管理サーバ１の取得部１０１は、アパレル情報や出演者タイムスケジュールを取得して、これらに基づいて、出演者に着用された衣服がテレビ番組に登場する時間帯を特定可能な情報として、衣服タイムスケジュールを生成する。換言すると、取得部１０１は、衣服タイムスケジュールを取得する、とも把握することができる。
【００５２】
管理サーバ１の生成部１０２は、衣服タイムスケジュールと出演者タイムスケジュールとを対応させた情報として、対応表を生成する。生成部１０２により生成された対応表は、対応表ＤＢ４０１に記憶されて管理される。
なお、生成部１０２により生成された対応表の具体例については、図５を参照して後述する。
【００５３】
管理サーバ１の特定部１０３は、テレビ番組がテレビ放送されている最中に、所定のタイミング（例えば１０秒毎のタイミング）に当該テレビ番組に登場している出演者が着用している衣服を、対応表に基づいて特定する。
【００５４】
以上の機能的構成を有する管理サーバ１により特定処理の実現が可能になる。
次に、支援処理を実現可能な機能的構成について説明する。
ここで支援処理が実行される場合、支援部１０４では、ＥＣサイト管理部１４１と、ＵＲＬ抽出部１４２と、送信制御部１４３とが機能する。
【００５５】
管理サーバ１の支援部１０４においては、特定された衣服に関する情報について、ユーザの利用を支援するための所定の処理が実行される場合、ＥＣサイト管理部１４１と、ＵＲＬ抽出部１４２と、送信制御部１４３とが機能する。
【００５６】
ＥＣサイト管理部１４１は、複数の衣服の夫々を購入可能な各ページにより構成されるＥＣサイト（カタログ）を生成して管理する。なお、ＥＣサイトの存在場所（ＵＲＬ）は、特に限定されず、管理サーバ１内であってもよいし、管理サーバ１以外であってもよい。ただし、本実施形態のでは、管理サーバ１以外のサーバ（図示せず）にＥＣサイトが存在するものとする。
ＵＲＬ抽出部１４２は、ＵＲＬＤＢ４０２において管理されているＵＲＬ情報の中から、特定部１０３により特定された出演者が着用する衣服を購入可能なページにアクセスするために必要となるＵＲＬ情報を抽出する。
送信制御部１４３は、ＵＲＬ抽出部１４２により抽出されたＵＲＬ情報を、通信部１９を介してユーザ端末２に送信する制御を実行する。
【００５７】
対応表ＤＢ４０１には、生成部１０２により生成された対応表が記憶されて管理されている。なお、対応表の具体例については、図５を参照して後述する。
ＵＲＬＤＢ４０２には、生成されたＥＣサイトを構成する各ページにアクセス可能なＵＲＬを含むＵＲＬ情報が記憶されて管理されている。なお、ＵＲＬ情報の具体例については、図６を参照して後述する。
【００５８】
以上の機能的構成を有する管理サーバ１は、支援処理を実行することができる。
【００５９】
ユーザ端末２の取得部２０１は、管理サーバ１から送信されてきたＵＲＬ情報を受信して取得すると、当該ＵＲＬ情報により示されるＵＲＬに存在するＥＣサイトのページを取得する。
ユーザ端末２の表示部２０２は、ＥＣサイトのページを表示する。
ユーザ端末２の受付部２０３は、ユーザＵによる衣服Ｃを購入する操作を受付ける。
ユーザ端末２の送信部２０４は、受付部２０３により受け付けられた操作に基づく情報を管理サーバ１に送信する。
【００６０】
以上のような機能的構成を有する管理サーバ１により実行される各種処理（例えば特定処理、支援処理）により、ユーザＵに対し本サービスを提供することが可能となる。
これにより、ユーザＵは、テレビＭを見ながらユーザ端末２を操作することで、テレビ番組に出演している出演者が着用している衣服をリアルタイムで容易に購入することができる。
【００６１】
次に、図５を参照して、管理サーバ１により生成される対応表の具体例について説明する。
【００６２】
図５は、管理サーバ１の生成部１０２により生成された対応表の例を示す図である。
【００６３】
図５に示す対応表には、アパレル会社Ｂ１乃至Ｂ４の夫々が提供する衣服Ｃを着用した出演者Ａ１及びＡ２の夫々が、テレビ番組に出演する詳細なタイムスケジュールが示されている。
【００６４】
具体的には例えば、図５に示す例では、出演者Ａ１が、アパレル会社Ｂ１の衣服Ｃを着用してテレビ番組に出演するのは、２１時００分００秒から２１時０４分３０秒までの時間帯Ｌ１１と、２１時１３分５５秒から２１時２６分１２秒までの時間帯Ｌ１２との２回である。
また、出演者Ａ１が、アパレル会社Ｂ２の衣服Ｃを着用してテレビＭに出演するのは、２１時３０分１０秒から２１時３８分１５秒までの時間帯Ｌ２１と、２１時４０分０３秒から２１時４４分３６秒までの時間帯Ｌ２２と、２１時４５分１７秒から２１時５３分５５秒までの時間帯Ｌ２３との３回である。
また、出演者Ａ２が、アパレル会社Ｂ３の衣服Ｃを着用してテレビＭに出演するのは、２１時０３分０５秒から２１時０６分４２秒までの時間帯Ｌ３１と、２１時１５分５３秒から２１時１７分０２秒までの時間帯Ｌ３２との２回である。
また、出演者Ａ２がアパレル会社Ｂ４の衣服Ｃを着用してテレビＭに出演するのは、２１時２９分０５秒から２１時３２分１３秒までの時間帯Ｌ４１と、２１時３５分５０秒から２１時３９分５５秒までの時間帯Ｌ４２と、２１時４４分３６秒から２１時４５分３０秒までの時間帯Ｌ４３との３回である。
【００６５】
次に、図６を参照して、管理サーバ１により管理されるＵＲＬ情報の具体例について説明する。
【００６６】
図６は、管理サーバ１のＵＲＬＤＢ４０２に記憶されて管理されているＵＲＬ情報の具体例を示す図である。
【００６７】
図６に示すように、ＵＲＬＤＢ４０２には、アパレル会社Ｂ１乃至Ｂｍと、衣服Ｃ１乃至Ｃｒと、図４のＥＣサイト管理部１４１により生成されて管理されるＥＣサイト（カタログ）の各ページの夫々のＵＲＬとが対応付けられた情報が、ＵＲＬ情報として記憶されて管理されている。
具体的には例えば、ＵＲＬＤＢ４０２には、アパレル会社Ｂ１が販売する衣服Ｃ１及びＣ２の夫々を購入可能な各ページ、及びアパレル会社Ｂ２が販売する衣服Ｃ３乃至Ｃ５の夫々を購入可能な各ページの夫々について、ＵＲＬ等が記憶されて管理されている。なお、ＵＲＬＤＢ４０２に記憶されて管理されている他の情報については、図６に示すとおりである。
【００６８】
次に、図７を参照して、ユーザ端末２に表示されるＧＵＩの具体例について説明する。
【００６９】
図７の左上には、専用アプリのトップ画面の例が示されている。ユーザＵの操作に基づいて、ユーザ端末２において専用アプリが起動すると、例えば図７（Ａ）に示すようなトップ画面が表示される。
【００７０】
図７の右上には、各テレビ番組のタイムスケジュールに、上述の対応表を対応させた表（以下、「番組表」と呼ぶ）が表示される。ユーザＵは、この番組表を、従来のテレビ番組表に代えて使用することができる。
ユーザ端末２に表示される番組表には、管理サーバ１により生成された対応表の内容が掲載される。これにより、ユーザＵは、どのテレビ番組で、どの出演者が、どこのアパレル会社が販売する衣服を着用して、どのタイミングで出演するのかを予め視認することができる。
ここで、テレビジョン放送中のテレビ番組については、現時点でテレビ番組に登場している衣服（テレビＭに映っている衣服）がハイライト表示等により、リアルタイムに表示される。
【００７１】
このため、上述したように、テレビ局Ｔとしては、衣服を購入する目的でテレビジョン放送を視聴しようとする新規の視聴者を獲得することができる。また、これまでにない新規のスタイルで番組をＰＲすることができるので、テレビ番組の視聴率のアップを図ることができる。また、アパレル会社Ｂとしては、テレビ番組を利用した販売促進活動を実施することができる。また、これまでにない新規のスタイルで自社商品をＰＲすることができるので、売上のアップを図ることができる。
【００７２】
図７の右下には、衣服の購入操作の例が示されている。
ユーザＵは、ユーザ端末２において専用アプリを起動させた状態で、テレビＭにてテレビ番組を視聴する。すると、ユーザ端末２には、テレビＭに映し出されている出演者が着用している衣服を購入できるページが自動的に表示される。
ユーザ端末２に自動的に表示されるページは、所定の時間間隔毎（例えば１秒毎）に更新させるように設定することができる。また、更新を行わせないように設定することもできる。
ユーザ端末２に表示されるＥＣサイト（ページ）では、ＥＣサイト上の買い物カゴに入れられた商品（図７の例では衣服Ｃ）について、一般的なＥＣサイトと同様に、プラグイン等の手法を用いた所定の決済手法（例えばクレジットカード決済）による決済を行うことができる。
これにより、ユーザＵは、テレビＭを見ながらユーザ端末２を操作することで、テレビ番組に出演している出演者が着用している衣服（図７の例では出演者Ａが着用している衣服Ｃ）をリアルタイムで容易に購入することができる。
【００７３】
図７左下には、購入手続が完了した旨のメッセージが表示された画面の例が示されている。ユーザＵの操作に基づいて、衣服の購入手続が完了すると、図７右下に示すような画面がユーザ端末２に表示される。これにより、ユーザＵは、購入手続が完了したことを認識することができる。
【００７４】
［第２実施形態］
図８は、本発明の第２実施形態の情報処理装置を含む情報処理システムにより実現可能な本サービスの概要を示すイメージ図である。
【００７５】
本サービスは、動画像配信サーバ５から動画像のデータが配信されている最中に、その動画像に含まれる出演者の衣服等をリアルタイムにユーザＵが購入できるサービスである。
上述した第１実施形態はテレビ番組の放送を対象としているのに対して、第２実施形態は動画像のデータを対象としている点で相違する。ただし、管理サーバ１から商品（例えば上述の「衣服Ｃ」）に関する情報（例えば上述の「アパレル情報」）やタイムコードデータ（例えば上述の「衣服タイムスケジュール」）が送信される点が第１実施形態と共通する。
上述した第１実施形態では、テレビで放送された番組において商品をリアルタイムで購入することができる。しかしながら、テレビ番組が放送されていない時間帯では、商品をリアルタイムで購入することができない。そこで、本サービスでは、既存の動画像のデータに含まれる商品をリアルタイムで購入することができる。
【００７６】
図９は、図８の本サービスを実現可能な情報処理システムの構成を示す図である。即ち、図９は、本発明の情報処理装置の第２実施形態に係る管理サーバを含む、情報処理システムの構成を示す図である。
【００７７】
図９に示す情報処理システムは、管理サーバ１と、ユーザ端末２−１乃至２−ｎと、アパレル会社サーバ３−１乃至３−ｍと、動画像配信サーバ５とを含むように構成されている。
【００７８】
第２実施形態に係る管理サーバ１を含む情報処理システムの構成と、上述の第１実施形態に係る管理サーバ１を含む情報処理システムの構成と比較すると、第１実施形態では、テレビ局サーバ４が情報処理システムの構成に含まれる。これに対して、第２実施形態では、テレビ局サーバ４の代わりに動画像配信サーバ５が情報処理システムの構成に含まれる。
【００７９】
動画像配信サーバ５は、一般的に利用されている動画像配信サービスの提供を行う外部のサーバであってもよいし、サービス提供者Ｇにより管理される管理サーバ１であってもよい。
【００８０】
図９の情報処理システムの他の構成は、図２の情報処理システムの構成と同様である。また、図９の情報システムのうち管理サーバ１のハードウェア構成は、図３の管理サーバ１のハードウェア構成と同様である。このため、管理サーバ１のハードウェア構成の説明は省略する。
【００８１】
図１０は、図９の管理サーバ及びユーザ端末の機能的構成のうち、上述した特定処理と支援処理とが実現可能になる機能的構成の一例を示す機能ブロック図である。
図１０に示す管理サーバ１及びユーザ端末２の機能的構成は、基本的に図４に示す管理サーバ１及びユーザ端末２の機能的構成と同様である。
【００８２】
図１１は、ユーザ端末に配信された動画像の再生中に商品を購入する場合の流れを示す図である。
【００８３】
図１１には、ユーザ端末２で動画像の再生中に商品を購入する場合の流れが、左側から右側に向かって順番に示されている。
即ち、動画像配信サーバ５からユーザ端末２に配信された動画像の再生中に商品を購入する場合、ユーザＵは、動画像配信サービスを利用するためのボタンｂ１を押下する（ステップＳＳ１０１）。
ユーザＵは、動画像配信サービスにアップロードされている再生可能な動画像Ｖの一覧のうち、所望の動画像Ｖを選択して押下する（ステップＳＳ１０２）。これにより、ユーザ端末２の画面に動画像Ｖが再生可能な状態になる（ステップＳＳ１０３）。
ユーザＵは、動画像Ｖを再生するためのボタンｂ２を押下すると、動画像Ｖの再生が開始される。すると、動画像Ｖに対応付けられて管理されている商品としての衣服Ｃを示すアイコンＩが、再生時間や再生箇所を示すタイムバーＲの近傍に表示される（ステップＳＳ１０４）。アイコンＩが表示された位置は、動画像Ｖにおいて衣服Ｃが登場する時間帯となる。ユーザＵがアイコンＩをタップする操作を行うと、衣服Ｃの購入画面に画面が遷移する（ステップＳＳ１０５）。
【００８４】
図１２は、サービス提供者による本サービスに係る各種の設定操作が行われる際に、サービス提供者端末に表示される画面の一例を示す図である。
【００８５】
図１２に示す画面は、サービス提供者Ｇにより操作される図示せぬサービス提供者端末に表示される画面である。図１２に示す画面では、動画像Ｖ毎に各種の設定を行うことができる。
具体的には例えば、入力欄ｔ１には、動画像Ｖの配信元を示すＵＲＬを入力して登録を行う。また、入力欄ｔ２には、衣服Ｃを示すアイコンＩをタイムバーＲの近傍に表示させる時間帯を入力する。つまり、動画像Ｖの再生開始時を始点とした場合に、動画像Ｖに衣服Ｃが登場する時間帯を設定する。また、入力欄ｔ３には、衣服Ｃを登録する。
【００８６】
以上、本発明の一実施形態について説明したが、本発明は、上述の実施形態に限定されるものではなく、本発明の目的を達成できる範囲での変形、改良等は本発明に含まれるものである。
【００８７】
例えば、上述の実施形態では、ユーザ端末２にインストールされた専用アプリを起動させることで本サービスを利用できる構成となっているが、これに限定されない。専用アプリをインストールすることなく、所定のウェブサイトにアクセスし、所定のログイン操作を行うことで本サービスを利用できるようにしてもよい。
【００８８】
また例えば、上述の実施形態では、情報処理システムを構成するテレビ局Ｔは１社となっているが、これは説明を簡略化させるための例示に過ぎず、テレビ局Ｔは複数社存在してもよい。この場合、テレビ局Ｔ１乃至Ｔｓ（ｓは１以上の整数値）の夫々が管理するテレビ局サーバ４−１乃至４−ｓの夫々において対応情報が生成されることとなる。
【００８９】
また例えば、上述の実施形態では、ＥＣサイトの管理し運営する主体がサービス提供者Ｇであるが、これに限定されない。アパレル会社Ｂや、それ以外の第三者によってＥＣサイトが運営されてもよい。例えばＥＣサイトの運営を専門で取り扱うＥＣサイト運営会社（図示せず）により運営されてもよい。
【００９０】
また、上述の実施形態において、送信制御部１４３は、ＵＲＬ抽出部１４２により抽出されたＵＲＬ情報をユーザ端末２に送信する制御を実行する構成となっているが、これに限定されない。例えば、送信制御部１４３は、衣服Ｃを購入するためのページ自体をユーザ端末２に送信する制御を実行してもよい。
【００９１】
また、上述の実施形態では、各種タイムスケジュールをキーとして、テレビ番組の内容に、ユーザ端末２に表示させる内容を同期させているが、これに限定されない。例えば、テレビ番組に含まれる音声に関する情報をキーとして、テレビ番組の内容に、ユーザ端末２に表示させる内容を同期させてもよい。
【００９２】
また、上述の実施形態では、ユーザ端末２に表示される番組表は、単一のものとして説明されているが、通常、テレビジョン放送の内容は、ユーザＵが所在地に応じて異なる。このため、ユーザ端末２から管理サーバ１に対し、ユーザ端末２のＧＰＳ位置情報など、ユーザ端末２の所在地を示す情報が送信されてもよい。この場合、管理サーバ１は、ユーザ端末２の所在地で受信できるテレビ局の番組表をユーザ端末２に表示させる制御を実行する。
【００９３】
また、図５に示す対応表は、アパレル会社Ｂ１乃至Ｂ４の夫々と、衣服Ｃとの関係が１対１の関係になっているが、これは説明を簡略化させるための例示に過ぎない。アパレル会社Ｂ１乃至Ｂ４の夫々と、衣服Ｃとの関係が１対ｅ（ｅは２以上の整数値）の関係になることもある。例えば、出演者Ａ１が、１つの番組内で、アパレル会社Ｂ１の衣服Ｃ１乃至Ｃ３を着用して登場する場合がある。この場合、図示はしないが、図５に示す対応表に衣服Ｃを示す欄が設けられる。
【００９４】
また例えば、上述の実施形態では、テレビ番組に登場する出演者が着用する衣服をリアルタイムで購入することを前提に説明しているが、これに限定されない。例えばテレビ番組に登場する不動産、家具、飲食物、靴、バッグ、眼鏡、アクセサリー、化粧品、食器、家電、雑貨、ゲーム、運動用具、アプリケーションソフトウェア等、あらゆる物を商品としてリアルタイムで購入できるようにすることができる。
【００９５】
また、上述の実施形態では、テレビ番組に登場するもの（例えば出演者Ａが着用する衣服Ｃ）を商品として、その商品を購入するための例を採用しているが、この例のみならず、テレビ番組に登場するものに関する「役務」の提供を受けるための例を採用してもよい。例えば、ユーザＵが、テレビ番組に登場している各種施設、具体的には例えば、レストラン、ホテル、テーマパーク等を利用したい場合に、ユーザ端末２を操作することにより、その内容の照会や、予約を直ぐに行うことができるような例を採用してもよい。
【００９６】
また例えば、上述の実施形態では、テレビ番組が対象とされたが、特にこれに限定されず、スケジュールに従って再生されるコンテンツであれば足りる。
例えば、ＤＶＤ等の記憶媒体に記憶された映画の出演者が着用する衣服を、当該ＤＶＤ等を再生しながらリアルタイムで購入できるようにしてもよい。つまり、テレビドラマと同様に、映画自体をファッションカタログの一種（いわば「映画カタログ」）とすることができる。
また、スケジュールに従って再生されるコンテンツは、テレビ番組や映画のような映像を含むコンテンツに限定されず、音声として放送されるラジオ番組のようなものであってもよい。これにより、例えば、ラジオ番組で流れる楽曲がスケジューリングされているならば、ユーザは、お気に入りの楽曲が流れている最中にユーザ端末２に対する簡単な操作をすることで、当該楽曲をリアルタイムで購入（ダウンロード）することもできる。
このように、上述の実施形態で採用した衣服を販売するアパレル会社や、テレビ番組をテレビジョン放送するテレビ局が属する分野のみならず、各種各様の分野に本発明を適用することができる。つまり、各種各様の分野において、本発明を適用した販売促進活動の実施、これまでにない新規のスタイルでの自社商品のＰＲを実現できる。その結果、各種各様の分野において売上のアップを図ることができる。
【００９７】
また例えば、上述の図８の例では、管理サーバ１からユーザ端末２に対して商品（例えば「衣服Ｃ」）に関する情報（例えば「アパレル情報」）やタイムコードデータ（例えば「衣服タイムスケジュール」）が送信される。ただし、これらの情報以外にも、管理サーバ１からユーザ端末２に対して例えばＡＲ（Ａｕｇｍｅｎｔｅｄ  Ｒｅａｌｉｔｙ／拡張現実）認識画像のデータを送信されるようにすることもできる。即ち、ＡＲ技術の進歩により、例えばスマートフォンのカメラで画像や平面認識することができるようになった。これにより、例えばＡＲ空間のポスターに対して、当該ポスターに連動した動画像Ｖを重ね合わせることができる。
具体的には、図１３に示すように、ユーザ端末２のカメラを起動させて、ＡＲ空間で認識したマーカＫを読取る（ステップＳＳ２０１）。マーカＫ上に動画像Ｖが再生される（ステップＳＳ２０２）。再生されている動画像Ｖには、タイムコードが付されている。これにより、動画像Ｖの視聴中、動画像に紐付けられた時間帯に対応した商品（かつら）を示すアイコンＩが表示される（ステップＳＳ２０３）。ユーザＵは、表示されたアイコンＩをタップする操作を行うことで、商品（かつら）の購入画面に画面遷移させることができる（ステップＳＳ２０４）。
【００９８】
また例えば、図１の場合、テレビで放送された番組と連動し、タイムコードに基づいて、管理サーバ１から商品データを取得する。この場合、テレビに放送されている番組の中にタイムコードが入っているわけではない。このため、例えば番組がスポーツ中継等で遅延したり、中止になったりした場合に、管理サーバ１が保有するタイムコード及び番組情報を修正しなければならない。そこで、例えば図１４に示すように、番組内の音声に超音波で音声データを入力する。これにより、ユーザ端末２の専用アプリが超音波ゲットデータを感知して管理サーバ１に接続する。その結果、ユーザＵは、番組の遅延とは関係なく音声に基づいた商品を購入することができる。
【００９９】
具体的には、テレビのスピーカから出力される音声データに超音波を重畳させて送信する。これにより、商品コードがユーザ端末２によって受信される。
その後、ユーザ端末２から管理サーバ１に商品コードが送信される。管理サーバ１は、その商品コードに対応する商品のデータをユーザ端末２に送信する。
即ち、テレビで放送される番組に、商品コードにあたる超音波を埋め込む。テレビを視聴しているユーザＵのユーザ端末２が超音波を受信する。ユーザ端末２は、超音波で受け取った商品コードについて、管理サーバ１に商品についての問い合わせを行う。これにより、ユーザ端末２が取得した商品のデータが画面に表示されるので、個別に購入することが可能になる。
さらに具体的には、超音波の周波数毎に数字や文字を割り当てて、ユーザ端末２と通信を行う。例えば、２０，０００ｈｚ＝１，２０１００ｈｚ＝２，２０２００ｈｚ＝３となる。そして、周波数毎に決まった数字と文字が割り当てられる。
【０１００】
また、図３に示す管理サーバ１のハードウェア構成は、本発明の目的を達成するための例示に過ぎず、特に限定されない。
【０１０１】
また、図４及び図１０に示す機能ブロック図は、例示に過ぎず、特に限定されない。即ち、上述した一連の処理を全体として実行できる機能が情報処理システムに備えられていれば足り、この機能を実現するためにどのような機能ブロックを用いるのかは、特に図４及び図１０の例に限定されない。
【０１０２】
また、機能ブロックの存在場所も、図４及び図１０に限定されず、任意でよい。
また、１つの機能ブロックは、ハードウェア単体で構成してもよいし、ソフトウェア単体で構成してもよいし、それらの組み合わせで構成してもよい。
【０１０３】
各機能ブロックの処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えばサーバの他汎用のスマートフォンやパーソナルコンピュータであってもよい。
【０１０４】
このようなプログラムを含む記録媒体は、各ユーザにプログラムを提供するために装置本体とは別に配布される、リムーバブルメディアにより構成されるだけではなく、装置本体に予め組み込まれた状態で各ユーザに提供される記録媒体等で構成される。
【０１０５】
なお、本明細書において、記録媒体に記録されるプログラムを記述するステップは、その順序に添って時系列的に行われる処理はもちろん、必ずしも時系列的に処理されなくとも、並列的或いは個別に実行される処理をも含むものである。
【０１０６】
また、本明細書において、システムの用語は、複数の装置や複数の手段等より構成される全体的な装置を意味するものである。
【０１０７】
以上まとめると、本発明が適用される情報処理装置は、次のような構成を取れば足り、各種各様な実施形態を取ることができる。
即ち、本発明が適用される情報処理装置（例えば図４の管理サーバ１）は、
再生されるコンテンツ（例えばテレビ番組）を使用するユーザ（例えば上述の図１等のユーザＵ）に対して、前記コンテンツに含まれるオブジェクト（例えば図１の衣服Ｃ）に関する情報の利用を支援する情報処理装置において、
前記オブジェクトが前記コンテンツに含まれる時間帯を特定可能な、前記再生の開始からの経過時間に関する第１情報（例えば上述のアパレル情報、出演者タイムスケジュール、衣服タイムスケジュールや、図５の対応表）を取得する取得手段（例えば図４の取得部１０１）と、
前記コンテンツの再生中の所定タイミング（例えば図１の例では、テレビＭに出演者Ａが映っているタイミング）において、当該所定タイミングで再生される前記コンテンツに含まれている前記オブジェクト（例えば図１の例では衣服Ｃ）を、前記第１情報に基づいて特定する特定手段（例えば図４の特定部１０３）と、
特定された前記オブジェクトに関する第２情報（例えば図１や図６のＵＲＬ情報）について、前記ユーザの利用を支援するための所定の処理（例えばＵＲＬ情報をユーザ端末２へ提供）を実行する支援手段（例えば図４の支援部１０４）と、
を備える。
また、管理サーバ１は、管理手段の一例であり、テレビ局Ｔ及びテレビＭ、ユーザ端末２は、コンテンツ提供手段の一例である。さらに、テレビ番組、番組表、対応表、ラジオ番組等は、コンテンツの一例である。さらに、登場する衣服、不動産、家具、飲食物、靴、バッグ、眼鏡、アクセサリー、化粧品、食器、家電、雑貨、ゲーム、運動用具、かつら、アプリケーションソフトウェア等は、オブジェクトの一例である。さらに、コンテンツに登場する役務としての各種施設、例えば、レストラン、ホテル、テーマパーク等は、オブジェクトの一例である。さらに、オブジェクトの購入、オブジェクトのダウンロード、オブジェクトの内容の照会、オブジェクトの予約は、“オブジェクトを利用”の一例である。
【０１０８】
これにより、ユーザとしては、コンテンツに含まれるオブジェクトに関する情報の利用を支援してもらうことができる。
例えばコンテンツがテレビ番組であり、オブジェクトが衣服である場合には、テレビ番組の出演者が着用している衣服に関する情報をリアルタイムで取得し、直ぐに購入できる手法を提供することができる。
また、この場合、ユーザに衣服を販売するアパレル会社としては、販売促進活動の実施、これまでにない新規のスタイルでの自社商品のＰＲを実現できる。その結果、衣服の売上のアップを図ることができる。
また、テレビ局としては、そのテレビ番組の視聴者の増加、ひいては当該テレビ局によりテレビジョン放送される各種各様なテレビ番組の視聴者の増加を望むことができる。
【符号の説明】
【０１０９】
１：管理サーバ、２，２−１乃至２−ｎ：ユーザ端末、３，３−１乃至３−ｍ：アパレル会社サーバ、４：テレビ局サーバ、５：動画像配信サーバ、１１：ＣＰＵ、１２：ＲＯＭ、１３：ＲＡＭ、１４：バス、１５：入出力インターフェース、１６：出力部、１７：入力部、１８：記憶部、１９：通信部、２０：ドライブ、３０：リムーバブルメディア、１０１：取得部、１０２：生成部、１０３：特定部、１０４：支援部、１４１：ＥＣサイト管理部、１４２：ＵＲＬ抽出部、１４３：送信制御部、２０１：取得部、２０２：表示部、２０３：受付部、２０４：送信部、４０１：対応表ＤＢ、４０２：ＵＲＬＤＢ、Ｇ：サービス提供者、Ｕ，Ｕ１乃至Ｕｎ：ユーザ、Ｂ，Ｂ１乃至Ｂｍ：アパレル会社、Ｔ：テレビ局、Ｎ：ネットワーク、Ａ，Ａ１乃至Ａｑ：出演者、Ｍ：テレビジョン、Ｃ，Ｃ１乃至Ｃｒ：衣服、Ｓ：各ステップ、Ｐ：ＥＣサイトの各ページ、Ｌ１１，Ｌ１２，Ｌ２１乃至Ｌ２３，Ｌ３１，Ｌ３２，Ｌ４１乃至Ｌ４３：衣服Ｃを着用した出演者Ａ１及びＡ２の夫々がテレビ番組に登場する時間帯、Ｉ：商品を示すアイコン、ｔ１乃至ｔ３：入力欄、Ｋ：マーカ
【図１】
0006974885.tif 000002
【図２】
0006974885.tif 000003
【図３】
0006974885.tif 000004
【図４】
0006974885.tif 000005
【図５】
0006974885.tif 000006
【図６】
0006974885.tif 000007
【図７】
0006974885.tif 000008
【図８】
0006974885.tif 000009
【図９】
0006974885.tif 000010
【図１０】
0006974885.tif 000011
【図１１】
0006974885.tif 000012
【図１２】
0006974885.tif 000013
【図１３】
0006974885.tif 000014
【図１４】
0006974885.tif 000015